(57)【要約】【課題】  プレイフィールド板上を軽快に滑走しうるパックを提供することにある。【解決手段】  エアゲーム機に用いられるパック54の概略形状は、略円板状であって、該パック54の中心部分55は、軟化温度が高く、自己潤滑性に富んだ硬質熱可塑性樹脂よりなり、前記パック54の外周部分56は、前記パック中心部分55よりも軟化温度が低い軟質熱可塑性樹脂よりなり、該軟質熱可塑性樹脂よりなるパック外周部分56は、前記硬質熱可塑性樹脂よりなるパック中心部分55に一体に溶融接合されたものである。【選択図】  図１７
2006346483.tif 000002
【特許請求の範囲】
【請求項１】
エアゲーム機に用いられるパックの概略形状は、略円板状であって、
該パックの中心部分は、軟化温度が高く、自己潤滑性に富んだ硬質熱可塑性樹脂よりなり、
前記パックの外周部分は、前記パック中心部分よりも軟化温度が低い軟質熱可塑性樹脂よりなり、
該軟質熱可塑性樹脂よりなるパック外周部分は、前記硬質熱可塑性樹脂よりなるパック中心部分に一体に溶融接合されたことを特徴とするパック。
【請求項２】
エアゲーム機に用いられるパックは、中心部のボス部と、該ボス部の外周面より半径方向へ岐出して渦巻状に弯曲した複数枚のスポーク部と、該スポーク部の外端部に一体に結合されたリング部とよりなり、
前記スポーク部は、前記ボス部の中心線と直交する平面に対しプロペラの羽根のように一方向へ傾斜した形状に形成されたことを特徴とするパック。
【発明の詳細な説明】
【技術分野】
【０００１】
本発明は、エアゲーム機のプレイフィールド板に多数形成された空気噴出孔から上方へ噴出する空気によって該プレイフィールド板上を滑走するパックに関するものである。
【背景技術】
【０００２】
プレイフィールド板に多数形成された空気噴出孔から噴出する空気の噴出圧力をプレイフィールド板の位置や時間に対応して変化させたエアゲーム機があった。
このエアゲーム機では、空気噴出孔から噴出する空気の噴出圧力をプレイフィールド板の位置や時間に対応して変化させるための噴出制御装置を必要とするために、構造が複雑化してコスト高となり、またこの噴出制御装置を正常に動作させるための保守整備を必要とした。
【０００３】
【特許文献１】特開平８−７１２４７号公報
【発明の開示】
【発明が解決しようとする課題】
【０００４】
プレイフィールド板の中央部にパックを静止させないようにした構造の簡単なエアゲーム機を提供することにある。
【課題を解決するための手段】
【０００５】
請求項１記載の発明は、エアゲーム機に用いられるパックの概略形状が、略円板状であって、該パックの中心部分は、軟化温度が高く、自己潤滑性に富んだ硬質熱可塑性樹脂よりなり、前記パックの外周部分は、前記パック中心部分よりも軟化温度が低い軟質熱可塑性樹脂よりなり、該軟質熱可塑性樹脂よりなるパック外周部分は、前記硬質熱可塑性樹脂よりなるパック中心部分に一体に溶融接合されたことを特徴とするパックである。
【０００６】
請求項２記載の発明は、エアゲーム機に用いられるパックは、中心部のボス部と、該ボス部の外周面より半径方向へ岐出して渦巻状に弯曲した複数枚のスポーク部と、該スポーク部の外端部に一体に結合されたリング部とよりなり、前記スポーク部は、前記ボス部の中心線と直交する平面に対しプロペラの羽根のように一方向へ傾斜した形状に形成されたことを特徴とするパックである。
【発明の効果】
【０００７】
請求項１記載の発明においては、パックの大部分を占める自己潤滑性に富んだ硬質熱可塑性樹脂製パック中心部分がプレイフィールド板に低い摩擦力で接触するため、パックは空気噴出孔からの噴出空気の支持力と相俟ってプレイフィールド板上をより一層軽快に滑走することができ、また、パックの外周部は軟質熱可塑性樹脂製で、硬質熱可塑性樹脂製中心部に一体に溶融接合されているため、パックがマレットやプレイフィールド板外周部の壁部等に衝突した際に、その衝撃力が大巾に緩和されるとともに、打撃騒音の発生が抑制される。
【０００８】
請求項２記載の発明においては、プレイフィールド板に多数形成された空気噴出孔から上方へ噴出する空気が、プレイフィールド板上のパックのスポーク部に当り、該スポーク部の一方向の傾斜によってパックが一方向へ回転しながらプレイフィールド板上を浮遊することができる。
【０００９】
このように、プレイフィールド板上をパックが一方向へ回転しながら浮遊することができるので、従来のエアゲーム機におけるパックとは異なった挙動するので、プレイヤは従来とは異なった感覚でゲームを楽しむことができる。
【発明を実施するための最良の形態】
【００１０】
以下、図１ないし図５に図示されたエアゲーム機について説明する。
【００１１】
エアゲーム機の一種たるエアホッケーゲーム機１では、上方筺体２の下面４隅にキャスタ３が鉛直軸を中心としてそれぞれ旋回自在に取付けられるとともに、キャスタ３に隣接して伸縮脚４がそれぞれ設けられており、伸縮脚４が短縮した状態では、エアホッケーゲーム機１はキャスタ３によって床面０上を自由に移動でき、伸縮脚４が伸長した状態では、エアホッケーゲーム機１は伸縮脚４によって床面０上に据付けられ、４本の伸縮脚４の伸縮度を調整することにより、エアホッケーゲーム機１のプレイフィールド板５は水平に維持されるようになっている。
【００１２】
また、プレイフィールド板５には、空気噴出孔６が多数形成されているが、プレイフィールド板５の中心を中心として半径Ｒの円で囲まれる範囲においては、他の範囲に比べて空気噴出孔６の配置密度が長さ単位で倍、面積単位で４倍となっており、プレイフィールド板５の下面全面を覆う図示されない圧力空気室形成用カバーが設けられ、プレイフィールド板５および圧力空気室形成用カバーで密閉される図示されない圧力空気室に、図示されないモータによって駆動される空気圧縮機の吐出口が連通されており、この空気圧縮機により圧力空気が圧力空気室に圧入されると、プレイフィールド板５から空気が上方へ噴出するようになっている。
【００１３】
さらに、上方筺体２の長手方向両端には、ゴール７が設けられるとともに、上方筺体２の長手方向中央部上方には、防護ネット８が張設されており、図示されないプレイヤがマレット９を握って、プレイフィールド板５上のパック10を打てば、パック10はプレイフィールド板５の空気噴出孔６から噴出される空気によって軽くプレイフィールド板５上を浮上し、プレイフィールド板５上を軽快に滑走しうるようになっている。
【００１４】
図１ないし図５に図示のエアゲーム機では、プレイフィールド板５の中心部の範囲Ａ内の空気噴出孔６の密度が他の部分の空気噴出孔６の密度よりも大きいため、範囲Ａ内に位置するパック10の浮遊状態は、他の部分のパック10の浮遊状態よりも、大量の加圧空気の供給で上方へパック10は浮いており、プレイフィールド板５に対するパック10の摩擦力が大巾に軽減され、パック10は範囲Ａ内では減速して静止することが少なくなく、プレイヤは、ゴール７より離れた範囲内のパック10を叩くことが殆んどなく、プレイヤがゴール７より移動することがない結果、エアホッケーゲームが中断することなく迅速に進行し、興趣が著しく高くなる。
【００１５】
また、プレイフィールド板５の中心から半径Ｒより小さな半径ｒの範囲ａ内の空気噴出孔６の密度を半径Ｒの範囲Ａの密度よりもさらに高めると、プレイフィールド板５から噴出される空気の噴出空気量の分布は図５に図示するようになり、プレイフィールド板５の中心部でパック10が静止するということは、全くないといってもよい。
【００１６】
図１ないし図５に図示のエアゲーム機では、エアホッケーゲーム機１の内部構造を全く変えずに、従来のエアホッケーゲーム機の内部構造とし、プレイフィールド板５の空気噴出孔６の配置密度を変えるだけでよいため、優れた特性を有するにも拘わらず、低コストでエアホッケーゲーム機１を容易に得ることができる。
【００１７】
次に、図６ないし図９に図示されたエアゲーム機について説明する。
【００１８】
エアホッケーゲーム機１のゴール７の位置には、図６に図示されるように、プレイフィールド板５の周壁11を覆うゴールカバー12が設けられ、ゴールカバー12の下方には、最大ゴール巾を規定するゴール巾規定部材13がプレイフィールド板５の上面に一体に接合され、このゴール巾規定部材13には巾方向に指向した溝14が形成されるとともに、ゴールカバー12にも溝14の直上に位置してスリット15が形成されている。
【００１９】
また、ゴールカバー12の下方のスリット15より巾方向中央寄りに位置してホルダー16がゴール巾規定部材13に取付けられ、このホルダー16にゴール巾縮小ブロック17が上下に昇降自在に嵌装されるとともに、ゴール巾縮小ブロック17に形成された傾斜溝18とゴール巾規定部材13の溝14とにゴール巾調整金具20が摺動自在に嵌合され、ゴール巾調整金具20の先端部には、ゴール巾縮小ブロック17の傾斜溝18の傾斜角度と同一角度の傾斜面21が形成され、さらに、プレイフィールド板５のバネ受け凹部22とゴール巾縮小ブロック17の下面のバネ受け凹部23とに圧縮コイルバネ24が介装されており、ゴール巾調整金具20の上方突出部20ａには図示されない摘みが取付けられており、この摘みをゴール巾調整金具20とともにエアホッケーゲーム機１の外側方へ移動させると、図８に図示されるように圧縮コイルバネ24のバネ力によってゴール巾縮小ブロック17は上昇し、パック10はゴール巾縮小ブロック17の下方を通過でき、ゴール巾規定部材13の内端縁13ａによって広いゴール巾が設定されるようになっている。
【００２０】
そして、前記摘みおよびゴール巾調整金具20をエアホッケーゲーム機１の巾中央寄りに移動させると、ゴール巾縮小ブロック17は圧縮コイルバネ24のバネ力に打勝って下降し、図９に図示されるように、ゴール巾縮小ブロック17の下面はプレイフィールド板５の上面に接し、プレイフィールド板５は、ゴール巾縮小ブロック17の規制先端部19によって、ゴール巾が狭く規制される。
【００２１】
図６ないし図９に図示のエアゲーム機では、ゴール巾縮小ブロック17が上昇してゴール巾が拡大された状態では、両ゴール巾規定部材13の先端部13ａで挟まれた範囲内では、プレイフィールド板５の上面には、凹凸部や障害物が全く存在しないため、パック10がゴール７内で詰まる惧れがない。
【００２２】
また、ゴールカバー12の下端縁がゴール巾規定部材13の上面と一致しているため、ゴール巾規定部材13より薄いパック10がゴールカバー12の下端縁を通過する際に、上方へ持上げられたゴール巾縮小ブロック17に衝突する惧れがない。
【００２３】
さらに、ゴールカバー12より上方へ突出したゴール巾調整金具20の上方突出部20ａやこれに付設された摘みが目視できるため、ゴール巾がどのように設定されているかプレイヤが知ることができ、不正によってシュートが成功しないというような疑念をプレイヤは持つことがない。
【００２４】
さらに、図１０ないし図１１に図示されたエアゲーム機について説明する。
【００２５】
基台25の４隅にモータ26が配置され、このモータ26の回転軸（図示されず）と一体に結合されたネジ棒27がそれぞれ鉛直上方へ起立して設けられ、上方筺体２の下部４隅には、ネジ棒27に螺合できる雌ネジ28が一体に取付けられている。
【００２６】
前記モータ26は、ステッピングモータの如く、４個共、その回転軸がそれぞれ同一角度速度で同一角度回転するようになっている。
【００２７】
図１０ないし図１１に図示のエアゲーム機では、モータ26を回転駆動させると、ネジ棒27は一斉に同一速度で回転し、モータ26を停止した際には、ネジ棒27は同一角度回転するため、上方筺体２は、水平状態を維持したまま、上下に所要の高さ迄昇降できるので、プレイヤの身長や、姿勢に対応して上方筺体２の高さを調整でき、しかも水平状態を確実に維持できる結果、プレイヤは、ホッケーゲームを充分に楽むことができる。
【００２８】
また、上方筺体２に大きな上下方向の力が加わっても、ネジ棒27と雌ネジ28とは、相対的に確固とその相互位置関係を保持できるため、上方筺体２が上下にずれ、あるいは傾くことは全くない。
【００２９】
図１０ないし図１１に図示のエアゲーム機で、４本のネジ棒27を鉛直に起立したまま回転自在に基台25に支持させ、ネジ棒27の下端に図示されないスプロケットを一体に嵌着し、この４個のスプロケットに図示されない無端チエンを架渡し、モータ26の回転軸に直結されたドライブスプロケットをこの無端チエンに係合させれば、安価なモータ26が１個で足り、大巾なコストダウンが可能となる。
【００３０】
さらにまた、図１２ないし図１４に図示されたエアゲーム機について説明する。
【００３１】
アングル材の如き型鋼を縦横に一体に結合してなる基枠30の４隅の基片31にキャスタ３と伸縮脚４とが設けられ、該基枠30の一端部の枢支片32に、相互に平行な左右１対の細長部材34の一端部が支軸35でもって傾動自在に枢着されて、一方の支脚33が構成され、この支脚33における左右１対の細長部材34の長手方向中央部に、他方の支脚36における相互に平行な左右１対の細長部材37の長手方向中央部が中心軸38でもって傾動自在に枢着されて、他方の支脚36が構成されている。
【００３２】
また、他方の支脚36における左右１対の細長部材37の一端側上端部に、昇降枠39における左右細長水平部材40の一端部が傾動自在に枢着されて、昇降枠39が構成され、この昇降枠39の上面に、プレイフィールド板５を備えた上方筺体２が一体に取付けられている。
【００３３】
さらに枢支片33における左右１対の細長部材34の他端側上端部が昇降枠39における細長部材40の他端側の水平ガイド部材41に水平方向へ移動自在に保持されるとともに、他方の支脚36における左右１対の細長部材37の他端側下端部が、基枠30の他端側の水平ガイド部材42に水平方向へ移動自在に保持されている。
【００３４】
さらにまた、左右水平方向へ指向した支持杆43、44が細長部材37の長手方向に亘って他方の支脚36の細長部材37に一体に架渡され、この支持杆43、44にモータ支持板45が一体に取付けられ、このモータ支持板45にモータ46が一体に載置され、モータ46の回転軸（図示されず）に一体に装着されたアーム47の先端と、一方の支脚33の細長部材34に装着された突片48とに連結片49の両端が回転自在に枢着されている。
【００３５】
なお、基枠30の前後左右４個には、受片50が一体に装着されている。
【００３６】
図１２ないし図１４に図示のエアゲーム機では、一方の支脚33および他方の支脚36が下方へ倒伏した状態では、昇降枠39は受片50の上方水平片に係止されて、上方筺体２は安定して最低高さに保持される。
【００３７】
そして、モータ46の回転軸をいずれか一方に回転させると、アーム47も回転して、連結片49を介して突片48が上方へ押上げられ、図１４に図示されるように、昇降枠39は上昇することができ、上方筺体２の高さもこれに伴なって高くなる。
【００３８】
また、昇降枠39は、パンダグラフ式に組立てられた一方の支脚33、他方の支脚36によって、どのような高さでも水平に保持されながら昇降することができる。
【００３９】
さらに、モータ46によって、アーム47は比較的速く回転できるため、上方筺体２の昇降調整は短時間内で終了することができる。
【００４０】
エアホッケーゲーム機１に使用されるパック10の具体的構造を、図１５ないし図１６に図示された請求項２記載の最良の形態について説明する。
【００４１】
熱可塑性樹脂よりなり、射出成形されたパック10は、中心部のボス部51と、ボス部51の外周面より半径方向へ岐出して渦巻状に弯曲した複数枚のスポーク部52と、スポーク部52の外端部に一体に結合されたリング部53とよりなり、スポーク部52は図１６に図示されるように断面形状が翼のように滑らかな曲面に形成されて傾斜している。
【００４２】
図１５ないし図１６に図示の形態では、普通のパックとは異なった形状をし、しかもスポーク部52が傾斜しているため、パック10は、プレイフィールド板５上を浮遊しながら回転するので、パック10は回転しながら特異な軌跡を画く。
【００４３】
最後に、図１７ないし図１９に図示された請求項１記載の発明の最良の形態について説明する。
【００４４】
パック54の概略形状は、略円板状であって、パック54は中心部分55は、軟化温度が高く自己潤滑性に富んだポリアセタール、またはナイロン、あるいはＡＢＳの如き硬質熱可塑性樹脂よりなり、パック54の外周部分56は、中心部分55よりも軟化温度が低いウレタン、エラストマーの如き軟質熱可塑性樹脂よりなり、軟質熱可塑性樹脂よりなる外周部分56は、硬質熱可塑性樹脂よりなる中心部分55に一体に溶融接合されている。
【００４５】
すなわち、図１９に図示されるように、キャビティを有する上型57および下型58を相互に一体に接合させた状態で、２５０℃程度に加熱された硬質熱可塑性樹脂を下型58の中心注入孔59よりキャビティ内に加圧注入し、この硬質熱可塑性樹脂が充分に硬化しない内に、軟質熱可塑性樹脂を下型58の外周部分60からキャビティ内に加圧注入すれば、中心部分55と外周部分56との境界部分は相互に溶融した状態で一体に接合される。
【００４６】
このパック54では、パック54の大部分を占める中心部分55が自己潤滑性に富みかつ硬質であるため、プレイフィールド板５上を低い摩擦力で軽快に滑走することができる。
【００４７】
また、中心部分55の外周に軟質熱可塑性樹脂製の外周部分56が一体に接合されているため、パック54がパック10や周壁11やゴール巾規定部材13等に勢い良く衝突しても、外周部分56でその衝撃力が著しく緩和され、衝突騒音の発生が充分に抑制される。
【図面の簡単な説明】
【００４８】
【図１】エアホッケーゲーム機の斜視図である。
【図２】図１の平面図である。
【図３】図１の正面図である。
【図４】図１の側面図である。
【図５】他の形態における空気噴出量分布を図示した側面図である。
【図６】他のエアホッケーゲーム機のゴール近傍の要部斜視図である。
【図７】図６の平面図である。
【図８】図６の縦断正面図で、ゴール巾縮小ブロックが上昇した状態を示している。
【図９】図６の縦断正面図で、ゴール巾縮小ブロックが下降した状態を示している。
【図１０】さらに他のエアホッケーゲーム機の側面図である。
【図１１】図１０の正面図である。
【図１２】他のエアホッケーゲーム機の発明の斜視図である。
【図１３】図１２で昇降枠を下げた状態の側面図である。
【図１４】図１２で昇降枠を上げた状態の側面図である。
【図１５】請求項２記載の発明のパックの平面図である。
【図１６】図１５にて、XVI−XVIに沿って裁断した断面図である。
【図１７】請求項１記載の発明のパックの平面図である。
【図１８】図１７のXVIII−XVIIIに沿って裁断した断面図である。
【図１９】図１７に図示のパックを製造する説明断面図である。
【符号の説明】
【００４９】
０…床面、１…エアホッケーゲーム機、２…上方筺体、３…キャスタ、４…伸縮脚、５…プレイフィールド板、６…空気噴出孔、７…ゴール、８…防護ネット、９…マレット、10…パック、11…周壁、12…ゴールカバー、13…ゴール巾規定部材、14…溝、15…スリット、16…ホルダー、17…ゴール巾縮小ブロック、18…傾斜溝、19…規制先端部、20…ゴール巾調整金具、21…傾斜面、22…バネ受け凹部、23…バネ受け凹部、24…圧縮コイルバネ、25…基台、26…モータ、27…ネジ棒、28…雌ネジ、30…基枠、31…基片、32…枢支片、33…一方の支脚、34…細長部材、35…支軸、36…他方の支脚、37…細長部材、38…中心軸、39…昇降枠、40…細長水平部材、41…水平ガイド部材、42…水平ガイド部材、43…支持杆、44…支持杆、45…モータ支持板、46…モータ、47…アーム、48…突片、49…連結片、50…受片、51…ボス部、52…スポーク部、53…リング部、54…パック、55…中心部分、56…外周部分、57…上型、58…下型、59…中心注入孔、60…外周注入孔。
【図１】
2006346483.tif 000003
【図２】
2006346483.tif 000004
【図３】
2006346483.tif 000005
【図４】
2006346483.tif 000006
【図５】
2006346483.tif 000007
【図６】
2006346483.tif 000008
【図７】
2006346483.tif 000009
【図８】
2006346483.tif 000010
【図９】
2006346483.tif 000011
【図１０】
2006346483.tif 000012
【図１１】
2006346483.tif 000013
【図１２】
2006346483.tif 000014
【図１３】
2006346483.tif 000015
【図１４】
2006346483.tif 000016
【図１５】
2006346483.tif 000017
【図１６】
2006346483.tif 000018
【図１７】
2006346483.tif 000019
【図１８】
2006346483.tif 000020
【図１９】
2006346483.tif 000021